【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
撮像装置に接続される外部ストロボ装置において、
前記撮像装置に接続するカメラ接続部と、
閃光動作をするストロボ発光部と、
前記外部ストロボ装置内に収納される第１の電池を含み、当該外部ストロボ装置を動作させるに必要な電力を供給するストロボ電源部と、
前記ストロボ電源部から供給される電力を、当該外部ストロボ装置内の各部位に必要な電圧に変換して供給すると共に、前記第１の電池の残量を検知して、残量検知情報を出力するストロボ電源制御部と、
前記ストロボ電源制御部の電圧出力に対する接続先を、第１の接続状態、または第２の接続状態の一方を選択するストロボ電源切り替え部と、
前記カメラ接続部を通じて、前記撮像装置との間で前記ストロボ発光部に対する閃光動作の閃光制御指令、および前記ストロボ電源制御部に対する電源制御指令を含むストロボ制御信号を送受信し、前記ストロボ制御信号に基づいて、前記ストロボ発光部に対する閃光動作、および前記ストロボ電源切り替え部に対する選択動作を制御するストロボ制御部と、
前記ストロボ制御部が、前記ストロボ電源制御部によって検出された前記残量検知情報を含み前記外部ストロボ装置の動作状態を示す表示を出力するストロボ表示部と、
を有しており、
前記ストロボ制御部は、前記電源制御指令に基づいて、前記ストロボ電源切り替え部に対して、前記第１の接続状態、または前記第２の接続状態の一方を選択させ、
前記ストロボ電源切り替え部における前記第１の接続状態は、前記ストロボ電源部の電圧出力を前記外部ストロボ装置のみに供給するように接続されるものであり、
前記ストロボ電源切り替え部における前記第２の接続状態は、前記ストロボ電源部の電圧出力を、前記外部ストロボ装置と、前記カメラ接続部を介して接続された前記撮像装置の両方に供給するように接続される、
ことを特徴とする外部ストロボ装置。
【請求項２】
前記ストロボ制御部は、前記カメラ接続部が、前記撮像装置に接続している時には、前記撮像装置に対して、前記撮像装置の電源部に含まれる第２の電池の残量情報を取得させる命令信号を送信し、前記撮像装置から前記送信した命令信号に対する応答信号を受信すると、前記ストロボ表示部に対して、前記応答信号から取得した前記第２の電池の残量情報と、前記第１の電池の残量検知情報に基づいて上記ストロボ表示部の表示制御を行うことを特徴とする請求項１に記載の外部ストロボ装置。
【請求項３】
前記ストロボ制御部は、前記ストロボ電源制御部によって検出された前記第１の電池の電池残量情報に基づいて、前記第１の電池の残量が前記ストロボ電源部の電圧出力を前記撮像装置へ電源供給可能な条件となる所定値以下であるか否かを判定し、前記所定値以下であると判定された場合には、前記ストロボ電源切り替え部に前記第１の接続状態のみを選択させ、前記第２の接続状態を選択させないことを特徴とする請求項２に記載の外部ストロボ装置。
【請求項４】
前記カメラ接続部は、
前記撮像装置から前記外部ストロボ装置への前記ストロボ制御信号を入力する指令信号端子と、
前記外部ストロボ装置から前記撮像装置本体へ応答情報を出力する応答信号端子と、
前記外部ストロボ装着の有無を検出する、ストロボ装着検出端子と、
前記ストロボ装置の発光信号を入力する発光トリガ端子と、
を備えており、
前記ストロボ制御部は、前記ストロボ電源切り替え部に対して前記第１の接続状態または前記第２の接続状態の一方の接続状態を選択させ、前記発光トリガ端子は、前記撮像装置本体から受信したストロボ制御信号に基づいて、前記第１の接続状態が選択された時には、前記撮像装置から前記外部ストロボ装置へ発光トリガ入力信号を伝達し、前記第２の接続状態が選択された時には、前記外部ストロボ装置から、前記撮像装置本体へ電圧出力を伝達させる、
ことを特徴とする請求項２または３に記載の外部ストロボ装置。
【請求項５】
請求項１ないし４の何れか１つに記載の外部ストロボ装置が接続される撮像装置において、
前記外部ストロボ装置のカメラ接続部に対応して、前記外部ストロボ装置を接続する外部ストロボ接続部と、
前記撮像装置に収納される前記第２の電池を含み、前記撮像装置を動作させる動作電圧を出力するカメラ電源部と、
前記カメラ電源部から出力される動作電圧である第１の電圧出力、または前記ストロボ電源制御部から出力される電圧出力である第２の電圧出力に基づいて、前記撮像装置に含まれる各部位に対して、それぞれ必要な電圧出力を生成するカメラ電源制御部と、
前記カメラ電源制御部に入力される電圧出力として、前記第１の電圧出力および前記第２電圧出力の内のいずれか一方を選択する電源切り替え部と、
前記外部ストロボ装置が、前記外部ストロボ接続部に接続される場合に、前記外部ストロボ装置のストロボ発光部へ前記閃光制御指令を出力するフラッシュ制御部と、
前記カメラ電源制御部、前記電源切り替え部、および前記フラッシュ制御部への制御を含み、前記撮像装置が行う動作を制御するカメラ制御部と、
を有しており、
前記カメラ制御部は、前記外部ストロボ装置が、前記外部ストロボ接続部に接続された時には、前記外部ストロボ接続部を介して、前記外部ストロボ装置にストロボ制御信号を送信し、前記外部ストロボ装置から前記制御指令信号に対する応答情報を受信し、当該応答情報に基づいて、前記電源切り替え部における切り替え制御を行うことを特徴とする。
【請求項６】
請求項５に記載の撮像装置において、
更に、前記外部ストロボ接続部に伝達する制御信号の接続先を第１の接続先、および第２の接続先のいずれか一方に切り替える信号切り替え部を有しており、
前記外部ストロボ接続部は、
前記外部ストロボ装置へ制御指令信号を送信する送信端子と、
前記外部ストロボ装置から上記制御指令信号に対する応答信号を受信する受信端子と、
前記外部ストロボ装置が装着状態にあるか否かを検出するための外部ストロボ装着検出端子と、
前記外部ストロボへ閃光させるタイミングを指示するためのストロボ発光タイミング出力端子と、
を有し、
前記信号切り替え部が選択する前記第１の接続先は、前記フラッシュ制御部から発光トリガ出力信号を選択し、前記第２の接続先は、前記外部ストロボ接続部に接続される前記外部ストロボ装置から供給する電源入力信号を選択することを特徴とする。
【請求項７】
請求項６に記載の撮像装置において
前記カメラ電源制御部は、
更に、前記外部ストロボ装置が接続された時に、前記外部ストロボ接続部を介して、前記外部ストロボ装置のストロボ電源部から、前記カメラ接続部を介して、前記第１の電池の残量検知情報を取得し、
取得した残量検知情報に基づく電池残量が、設定値以下であって、かつ、前記外部ストロボ装置の電池残量が、前記撮像装置に供給可能と判断する所定の電池残量であると判断された場合は、
前記外部ストロボ接続部の、ストロボ発光タイミング出力端子は、前記信号切り替え部によって、前記第２の接続先を選択し、前記カメラ電源制御部は、前記外部ストロボ装置からの出力電圧を入力することを特徴とする。
【手続補正２】
【補正対象書類名】明細書
【補正対象項目名】発明の名称
【補正方法】変更
【補正の内容】
【発明の名称】外部ストロボ装置および撮像装置
【手続補正３】
【補正対象書類名】明細書
【補正対象項目名】００２４
【補正方法】変更
【補正の内容】
【００２４】
本発明の撮像装置に接続する外部ストロボ装置は、撮像装置に接続される外部ストロボ装置において、前記撮像装置に接続するカメラ接続部と、閃光動作をするストロボ発光部と、前記外部ストロボ装置内に収納される第１の電池を含み、当該外部ストロボ装置を動作させるに必要な電力を供給するストロボ電源部と、前記ストロボ電源部から供給される電力を、当該外部ストロボ装置内の各部位に必要な電圧に変換して供給すると共に、前記第１の電池の残量を検知して、残量検知情報を出力するストロボ電源制御部と、前記ストロボ電源制御部の電圧出力に対する接続先を、第１の接続状態、または第２の接続状態の一方を選択するストロボ電源切り替え部と、前記カメラ接続部を通じて、前記撮像装置との間で前記ストロボ発光部に対する閃光動作の閃光制御指令、および前記ストロボ電源制御部に対する電源制御指令を含むストロボ制御信号を送受信し、前記ストロボ制御信号に基づいて、前記ストロボ発光部に対する閃光動作、および前記ストロボ電源切り替え部に対する選択動作を制御するストロボ制御部と、前記ストロボ制御部が、前記ストロボ電源制御部によって検出された前記残量検知情報を含み前記外部ストロボ装置の動作状態を示す表示を出力するストロボ表示部と、を有しており、前記ストロボ制御部は、前記電源制御指令に基づいて、前記ストロボ電源切り替え部に対して、前記第１の接続状態、または前記第２の接続状態の一方を選択させ、前記ストロボ電源切り替え部における前記第１の接続状態は、前記ストロボ電源部の電圧出力を前記外部ストロボ装置のみに供給するように接続されるものであり、前記ストロボ電源切り替え部における前記第２の接続状態は、前記ストロボ電源部の電圧出力を、前記外部ストロボ装置と、前記カメラ接続部を介して接続された前記撮像装置の両方に供給するように接続されることを特徴とする。
【手続補正４】
【補正対象書類名】明細書
【補正対象項目名】００２５
【補正方法】変更
【補正の内容】
【００２５】
第２の発明に係る外部ストロボ装置は、前記ストロボ制御部は、前記カメラ接続部が、前記撮像装置に接続している時には、前記撮像装置に対して、前記撮像装置の電源部に含まれる第２の電池の残量情報を取得させる命令信号を送信し、前記撮像装置から前記送信した命令信号に対する応答信号を受信すると、前記ストロボ表示部に対して、前記応答信号から取得した前記第２の電池の残量情報と、前記第１の電池の残量検知情報に基づいて上記ストロボ表示部の表示制御を行うことを特徴とする。
【手続補正５】
【補正対象書類名】明細書
【補正対象項目名】００２６
【補正方法】変更
【補正の内容】
【００２６】
第３の発明に係る外部ストロボ装置は、前記ストロボ制御部は、前記ストロボ電源制御部によって検出された前記第１の電池の電池残量情報に基づいて、前記第１の電池の残量が前記ストロボ電源部の電圧出力を前記撮像装置へ電源供給可能な条件となる所定値以下であるか否かを判定し、前記所定値以下であると判定された場合には、前記ストロボ電源切り替え部に前記第１の接続状態のみを選択させ、前記第２の接続状態を選択させないことを特徴とする。
【手続補正６】
【補正対象書類名】明細書
【補正対象項目名】００２７
【補正方法】変更
【補正の内容】
【００２７】
第４の発明に係る外部ストロボ装置は、前記カメラ接続部は、前記撮像装置から前記外部ストロボ装置への前記ストロボ制御信号を入力する指令信号端子と、前記外部ストロボ装置から前記撮像装置本体へ応答情報を出力する応答信号端子と、前記外部ストロボ装着の有無を検出する、ストロボ装着検出端子と、前記ストロボ装置の発光信号を入力する発光トリガ端子と、を備えており、前記ストロボ制御部は、前記ストロボ電源切り替え部に対して前記第１の接続状態または前記第２の接続状態の一方の接続状態を選択させ、前記発光トリガ端子は、前記撮像装置本体から受信したストロボ制御信号に基づいて、前記第１の接続状態が選択された時には、前記撮像装置から前記外部ストロボ装置へ発光トリガ入力信号を伝達し、前記第２の接続状態が選択された時には、前記外部ストロボ装置から、前記撮像装置本体へ電圧出力を伝達させる、ことを特徴とする。
【手続補正７】
【補正対象書類名】明細書
【補正対象項目名】００２８
【補正方法】変更
【補正の内容】
【００２８】
第５の発明に係る撮像装置は、前記外部ストロボ装置のカメラ接続部に対応して、前記外部ストロボ装置を接続する外部ストロボ接続部と、前記撮像装置に収納される前記第２の電池を含み、前記撮像装置を動作させる動作電圧を出力するカメラ電源部と、前記カメラ電源部から出力される動作電圧である第１の電圧出力、または前記ストロボ電源制御部から出力される電圧出力である第２の電圧出力に基づいて、前記撮像装置に含まれる各部位に対して、それぞれ必要な電圧出力を生成するカメラ電源制御部と、前記カメラ電源制御部に入力される電圧出力として、前記第１の電圧出力および前記第２電圧出力の内のいずれか一方を選択する電源切り替え部と、前記外部ストロボ装置が、前記外部ストロボ接続部に接続される場合に、前記外部ストロボ装置のストロボ発光部へ前記閃光制御指令を出力するフラッシュ制御部と、前記カメラ電源制御部、前記電源切り替え部、および前記フラッシュ制御部への制御を含み、前記撮像装置が行う動作を制御するカメラ制御部と、を有しており、前記カメラ制御部は、前記外部ストロボ装置が、前記外部ストロボ接続部に接続された時には、前記外部ストロボ接続部を介して、前記外部ストロボ装置にストロボ制御信号を送信し、前記外部ストロボ装置から前記制御指令信号に対する応答情報を受信し、当該応答情報に基づいて、前記電源切り替え部における切り替え制御を行うことを特徴とする。
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】変更
【補正の内容】
【００３０】
第６の発明に係る撮像装置は、更に、前記外部ストロボ接続部に伝達する制御信号の接続先を第１の接続先、および第２の接続先のいずれか一方に切り替える信号切り替え部を有しており、前記外部ストロボ接続部は、前記外部ストロボ装置へ制御指令信号を送信する送信端子と、前記外部ストロボ装置から上記制御指令信号に対する応答信号を受信する受信端子と、前記外部ストロボ装置が装着状態にあるか否かを検出するための外部ストロボ装着検出端子と、前記外部ストロボへ閃光させるタイミングを指示するためのストロボ発光タイミング出力端子と、を有し、前記信号切り替え部が選択する前記第１の接続先は、前記フラッシュ制御部から発光トリガ出力信号を選択し、前記第２の接続先は、前記外部ストロボ接続部に接続される前記外部ストロボ装置から供給する電源入力信号を選択することを特徴とする。
【手続補正１０】
【補正対象書類名】明細書
【補正対象項目名】００３１
【補正方法】変更
【補正の内容】
【００３１】
第７の発明に係る撮像装置において、前記カメラ電源制御部は、更に、前記外部ストロボ装置が接続された時に、前記外部ストロボ接続部を介して、前記外部ストロボ装置のストロボ電源部から、前記カメラ接続部を介して、前記第１の電池の残量検知情報を取得し、取得した残量検知情報に基づく電池残量が、設定値以下であって、かつ、前記外部ストロボ装置の電池残量が、前記撮像装置に供給可能と判断する所定の電池残量であると判断された場合は、前記外部ストロボ接続部の、ストロボ発光タイミング出力端子は、前記信号切り替え部によって、前記第２の接続先を選択し、前記カメラ電源制御部は、前記外部ストロボ装置からの出力電圧を入力することを特徴とする。
【手続補正１１】
【補正対象書類名】明細書
【補正対象項目名】００３２
【補正方法】削除
【補正の内容】
【手続補正１２】
【補正対象書類名】明細書
【補正対象項目名】００３３
【補正方法】削除
【補正の内容】
【手続補正１３】
【補正対象書類名】明細書
【補正対象項目名】０１１７
【補正方法】変更
【補正の内容】
【０１１７】
次に外部ストロボ２００の信号切り替え部ＳＷ１をｂ側に選択動作をする。（ステップＳ４５）そして、撮像装置本体１００のＳＷ２をｂ側に切り替え動作を行う。（ステップＳ４６）上記ステップＳ４６の動作終了（ステップＳ４７）後、図６のフローチャートのステップＳ１４の作用が終了して、次のステップＳ３０の動作スタンバイ状態に移行する。
【手続補正１４】
【補正対象書類名】明細書
【補正対象項目名】０１２１
【補正方法】変更
【補正の内容】
【０１２１】
つまり図３の外部ストロボ接続部１２４の信号端子の内、ＸＣＯＮＴ端子は、フラッシュ制御部からの出力信号である、外部ストロボ２００の発光トリガ信号が接続される形になる。また、電源制御部１２０には、第一の電源に対応する、撮像装置１００内の電源部１１９からの電源出力が供給される形になる。
【手続補正１５】
【補正対象書類名】明細書
【補正対象項目名】０１３０
【補正方法】変更
【補正の内容】
【０１３０】
図１０は、撮像装置１００のフラッシュ撮影動作について示すフローチャートである。ここで、図１０の処理はシステム制御部１１６によって制御されるものである。
【手続補正１６】
【補正対象書類名】明細書
【補正対象項目名】０１３１
【補正方法】変更
【補正の内容】
【０１３１】
図１０において、システム制御部１１６は、撮影者操作により撮像装置１００の電源がオンとなったか否かを判定している（ステップＳ５１）。ステップＳ５１の判定において、撮像装置１００の電源がオンとなるまで、システム制御部１１６はステップＳ５１の判定を行いつつ待機する。ステップＳ５１の判定において撮像装置１００の電源がオンとなった場合に、システム制御部１１６は、撮像装置１００を撮影アイドル状態とする（ステップＳ５２）。この撮影アイドル状態において、システム制御部１１６はスルー画表示（ライブビュー表示等ともいう）の制御を行う。即ち、システム制御部１１６は、撮像制御部１０８を介して撮像素子１０７を所定のフレームレートで動作させ、これによって撮像素子１０７を介して逐次得られる画像を表示部１１５に表示させる。また、撮影アイドル状態において、撮影者によってメニュー画面の表示指示がなされた場合に、システム制御部１１６は表示部１１５にメニュー画面を表示させる。このメニュー画面上で撮影者は撮像装置１００の各種の設定を行うことができる。
【手続補正１７】
【補正対象書類名】明細書
【補正対象項目名】０１３６
【補正方法】変更
【補正の内容】
【０１３６】
本撮影の後、システム制御部１１６は、撮影によって得られた画像データに対する画像処理を画像処理部１１１に行わせる（ステップＳ５８）。最後に、システム制御部１１６は、画像処理部１１１において得られた圧縮画像データを外部メモリ１１４に記録させる（ステップＳ５９）。その後に、システム制御部１１６は図１０の処理を終了させて、撮影時のフラッシュ発光部２０６の発光量（本発光量）を決定する。
【手続補正１８】
【補正対象書類名】明細書
【補正対象項目名】０１３７
【補正方法】変更
【補正の内容】
【０１３７】
次に、ステップＳ５６のフラッシュ調光制御の詳細な作用について図１１のフローチャートを用いて説明する。
【手続補正１９】
【補正対象書類名】明細書
【補正対象項目名】０１３８
【補正方法】変更
【補正の内容】
【０１３８】
図１１において、システム制御部１１６は、定常光露光時の絞り値Ａｖを算出する（ステップＳ６１）。次に、システム制御部１１６は、定常光露光時の撮像素子１０７の感度値Ｓｖを算出する（ステップＳ６２）。次に、システム制御部１１６は、定常光露光時のシャッタ速Ｔｖを算出する（ステップＳ６３）。なお、定常光露光時のＡｖ、Ｓｖ、Ｔｖは例えば固定値を用いる。もちろん、上記Ａｖ，Ｓｖ，Ｔｖ値は固定値とすることには限定せず、定常光露光時のＡｖ、Ｓｖ、Ｔｖを撮影条件に応じて可変としても良い。
【手続補正２０】
【補正対象書類名】明細書
【補正対象項目名】０１４０
【補正方法】変更
【補正の内容】
【０１４０】
定常光露光の後、システム制御部１１６は、プリ発光露光時の絞り値Ａｖを算出する（ステップＳ６５）。次に、システム制御部１１６は、プリ発光露光時の撮像素子１０７の感度値Ｓｖを算出する（ステップＳ６６）。次に、システム制御部１１６は、プリ発光露光時のシャッタ速Ｔｖを算出する（ステップＳ６７）。